(57)【要約】      （修正有）【課題】表示装置の可撓性を損なうことなく、視認性を向上させることが可能な表示装置および電子機器を提供する。【解決手段】表示装置１は、表示部材１０の裏面に形状記憶機能を有する支持部材２０が配置され、表示部材１０の前面に光学フィルム３０が配置された構成を有する。前記形状記憶を有する支持部材２０を設けることにより、閲覧時に通電することによって発熱する発光素子や、ＴＦＴ、ドライバＩＣ１４Ａ，１４Ｂ等の排熱を利用して、折り曲げ後に生じる表示領域１０Ａの撓みや凹凸を解消し、平坦化することができる。よって、表示装置１の可撓性を損なうことなく、閲覧時における表示領域１０Ａの視認性を向上させることが可能となる。【選択図】図１
2013210491.tif 000002
【特許請求の範囲】
【請求項１】
可撓性を有する表示部材と、
前記表示部材の裏面に配置された形状記憶機能を有する支持部材と
を備えた表示装置。
【請求項２】
前記支持部材は前記表示部材の裏面全面に設けられている、請求項１に記載の表示装置。
【請求項３】
前記支持部材は加熱時に平坦性を維持する形状を記憶している、請求項１に記載の表示装置。
【請求項４】
前記支持部材はシート状の形状記憶合金により構成されている、請求項１に記載の表示装置。
【請求項５】
前記支持部材へ供給する熱源を有する、請求項１に記載の表示装置。
【請求項６】
前記熱源は表示部材を構成する表示素子である、請求項５に記載の表示装置。
【請求項７】
前記熱源は表示部材を構成する駆動用デバイスである、請求項５に記載の表示装置。
【請求項８】
前記支持部材の形状記憶機能は４０℃以下の加熱によって機能する、請求項１に記載の表示装置。
【請求項９】
表示装置を有し、
前記表示装置は、
可撓性を有する表示部材と、
前記表示部材の裏面に配置された形状記憶機能を有する支持部材と
を備えた電子機器。
【発明の詳細な説明】
【技術分野】
【０００１】
本開示は、可撓性を有する表示装置および電子機器に関する。
【背景技術】
【０００２】
近年、電子ペーパーと称される薄型の表示装置が、書籍（いわゆる電子ブック）として利用されている。そのような薄型の表示装置は可撓性を有し、ユーザが物理的に曲げたり捻ったりすることが可能である。
【０００３】
可撓性を有する表示装置としては、例えば表示部材（フレキシブルパネル）の両面にフィルムを貼り合わせて作成したラミネート構造を有する表示装置が提案されている（例えば、特許文献１参照）。
【先行技術文献】
【特許文献】
【０００４】
【特許文献１】特開２０１１−７９０４号公報
【発明の概要】
【発明が解決しようとする課題】
【０００５】
しかしながら、上述したような表示装置では、可撓性の向上に反して表示面の平坦性が損なわれ、視認性が低下するという問題があった。また、表示面の平坦性を筐体によって確保しようとすると、可撓性が損なわれるという問題があった。
【０００６】
本開示はかかる問題点に鑑みてなされたもので、その目的は、表示装置の可撓性を損なうことなく、視認性を向上させることが可能な表示装置および電子機器を提供することにある。
【課題を解決するための手段】
【０００７】
本技術による表示装置は、可撓性を有する表示部材と、表示部材の裏面に配置された形状記憶機能を有する支持部材とを備えたものである。
【０００８】
本技術による電子機器は、上記本技術による表示装置を有するものである。
【０００９】
本技術の表示装置および電子機器では、可撓性を有する表示部材の裏面に形状記憶機能を有する支持部材を設けることにより、可撓性を保持しつつ、表示部材の平坦性が確保される。
【００１０】
本技術の表示装置および電子機器によれば、表示部材の裏面に形状記憶機能を有する支持部材を設けるようにしたので、閲覧時における表示部材の平坦性が確保される。よって、表示装置全体の可撓性を損なうことなく、閲覧時における表示面の視認性を向上させることが可能となる。
【図面の簡単な説明】
【００１１】
【図１】本開示の一実施の形態に係る表示装置の構成を表す分解斜視図である。
【図２】図１に示した表示装置の断面図である。
【図３Ａ】図１に示した表示装置の斜視図である。
【図３Ｂ】図１に示した表示装置を折り曲げた状態を表す斜視図である。
【図４Ａ】図１に示した表示装置の折り曲げ後の状態を表す斜視図である。
【図４Ｂ】図４Ａに示した表示装置への熱供給後の状態を表す斜視図である。
【図５Ａ】本開示の適用例１に係る電子機器（電子ブック）の開いた状態を表す斜視図である。
【図５Ｂ】図５Ａに示した電子ブックの閉じた状態（折り畳んだ状態）を表す斜視図である。
【図６】図５Ａ，図５Ｂに示した電子ブックを分解して表す斜視図である。
【図７】図５Ａ，図５Ｂに示した電子ブックの機能ブロック図である。
【図８Ａ】ユーザ操作の一例を模式的に表す図である。
【図８Ｂ】ユーザ操作の他の例を模式的に表す図である。
【図８Ｃ】ユーザ操作の他の例を模式的に表す図である。
【発明を実施するための形態】
【００１２】
以下、本開示の実施の形態について図面を参照して詳細に説明する。なお、説明は以下の順序で行う。
１．実施の形態（表示装置：表示部材の裏面にシート状の形状記憶合金を配した例）
１−１．表示装置の全体構成
１−２．表示装置の機能
２．適用例１（電子機器：電子ブック）
【００１３】
＜１．実施の形態＞
［１−１．表示装置の全体構成］
図１は、本開示の一実施の形態に係る表示装置（表示装置１）の構成を分解して表したものである。この表示装置１は、例えば電子ブックの表示部として用いられるものであり、可撓性を有する表示部材１０を備えている。本実施の形態では、表示部材１０の裏面に形状記憶機能を有する支持部材２０が配置され、表示部材１０の前面に光学フィルム３０が配置された構成を有する。
【００１４】
本明細書において、表示部材１０の主面（最も広い面）において左右方向（長辺方向）をＸ方向、上下方向（短辺方向）をＹ方向とし、表示部材１０の厚み方向をＺ方向という。
【００１５】
表示部材１０は、画像信号に基づいて画像を表示する表示パネルであり、詳細は後述するが、例えば図２に示したように、可撓性を有する基板１１上に半導体層１２および表示層１３がこの順に積層されている。表示層１３を構成する表示素子としては、例えば有機ＥＬ（Electro Luminescence）素子、液晶表示素子あるいは電気泳動素子等が挙げられる。
【００１６】
表示部材１０は、図１に示したように、例えば長方形の平面形状を有し、ほぼ中央に長方形の表示領域１０Ａが設けられている。表示領域１０Ａよりも外側の周辺部１０Ｂには、例えば表示部材１０の短辺（Ｙ方向）に沿って、例えば二つの縦長ドライバＩＣ（Integrated Circuit）１４Ａが実装されていると共に、外部接続端子への信号の入出力のためのフレキシブルプリント配線基板（ＦＰＣ；Flexible Printed Circuit）１５が接続されている。周辺部１０Ｂには、また、表示部材１０の長辺（Ｘ方向）に沿って、例えば、複数のドライバＩＣ１４Ｂが実装されている。
【００１７】
表示部材１０は上述したように、基板１１上に半導体層１２および表示層１３が積層された構造を有する。基板１１の材料としては、例えば樹脂材料、具体的には、例えば厚み１０〜２００μｍのポリエチレンテレフタレート，ポリエチレンナフタレート，ポリエーテルスルホン，ポリエーテルイミド，ポリエーテルエーテルケトン，ポリフェニレンスルフィド，ポリスルホン，ポリアリレート，ポリイミド，ポリアミド，ポリカーボネート，セルローストリアセテート，ポリオレフィン，ポリスチレン，ポリエチレン，ポリプロピレン，ポリメチルメタクリレート，アラミド，ポリ塩化ビニル，ポリ塩化ビニリデン，エポキシ樹脂，フェノール樹脂，ユリア樹脂，メラミン樹脂，シリコン樹脂またはアクリル樹脂等のプラスチック材料が挙げられる。
【００１８】
半導体層２０は、具体的には、例えばゲート電極，ゲート絶縁膜，チャネル層としての半導体層およびソース・ドレイン電極により構成された薄膜トランジスタ（ＴＦＴ；Thin Film Transistor）等が設けられている（いずれも図示せず）。これらはＣＶＤ（Chemical Vapor Deposition；化学気相成長）法等による成膜およびエッチングの工程を経ることにより形成する。
【００１９】
表示層１３は、例えば画素電極と共通電極との間に液晶層や有機ＥＬ層、あるいは電気泳動層を有するものである（いずれも図示せず）。
【００２０】
支持部材２０は、形状記憶機能を有し、表示部材１０を支持するものである。この支持部材２０は、例えばシート状（例えば、膜厚５０〜５００μｍ）の形状記憶合金によって構成されており、表示部材１０の裏面に配置されている。形状記憶合金の種類としては、例えばニッケル（Ｎｉ）−チタン（Ｔｉ）系、銅（Ｃｕ）−亜鉛（Ｚｎ）−アルミニウム（Ａｌ）系の他、金（Ａｕ）−カドミウム（Ｃｄ）系、インジウム（Ｉｎ）−Ｔｉ系、Ｃｕ−Ｎｉ−Ａｌ系、パラジウム（Ｐｄ）−Ｔｉ系、Ｎｉ−Ｔｉ−Ｃｕ系、Ｃｕ−Ｚｎ−Ａｌ−Ｎｉ系、鉄（Ｆｅ）−マンガン（Ｍｎ）−ケイ素（Ｓｉ）系、Ａｕ−Ｍｎ−Ｚｎ系、Ｍｎ−Ｃｕ系、Ｃｕ−Ａｌ−ベリリウム（Ｂｅ）系等の種々の合金が挙げられる。なお、支持部材２０を構成する材料としては、上述したように形状記憶機能を有していればよく、形状記憶合金以外の材料を含んでいてもよい。例えばポリテトラフルオロエチレン等のフッ素樹脂や、その他の金属、有機または無機繊維等を含んでいても構わない。
【００２１】
支持部材２０は、例えば一定の温度を加えることにより予め設定した形状に表示装置１を回復するものである。具体的には、閲覧時に熱が加わることによって支持部材２０の平坦性が回復すると同時に、支持部材２０に配設されている表示部材１０の平坦性を回復させるものである。これにより、表示部材１０の表示領域１０Ａ（表示面）の視認性が向上する。支持部材２０の形状を回復させる温度（変態点）は、ユーザの安全性を考慮して例えば３０℃以上４０℃以下であることが好ましい。
【００２２】
閲覧時に支持部材２０へ供給する熱源としては、専用の加熱手段として例えばヒータ等を設けてもよいが、例えば表示部材１０を構成する発熱体を利用してもよい。具体的には、例えば表示層１３を構成する表示素子として自発光型の有機ＥＬ素子を選択する場合には、有機ＥＬ素子自身の排熱を利用することができる。この他、半導体層１２に設けられたＴＦＴや、周辺部１０Ｂに設けられたＣＰＵ（Central Processing Unit（図示せず））、ドライバＩＣ１４Ａ，１４ＢおよびＦＰＣ１５等の駆動用デバイスの排熱を利用してもよい。このように、表示部材１０を構成する素子等を熱源として支持部材２０に熱接続することにより表示装置１がコンパクトになる。
【００２３】
なお、支持部材２０は、本実施の形態では表示部材１０の裏面全面に設けているが、表示面の平坦性が確保されれば必ずしも全面に設けなくても構わない。具体的には、例えば表示領域１０Ａの周辺部分に枠状に、あるいは表示領域１０Ａのみに形成するようにしてもよい。但し、本実施の形態のように、支持部材２０は表示部材１０の裏面全面に設ける場合が最も表示面の平坦性を確保し、視認性を向上させることができる。ここで、「全面」とは表示装置１を平面的に見た際における表示装置１の総面積の大部分が覆われている状態のことである。
【００２４】
光学フィルム３０は、例えば外光の表示領域１０Ａへの映り込みを防止し、視認性を向上させるためのものであり、具体的には反射防止機能あるいは防眩機能を有する。例えば、光学フィルム３０が反射防止機能を有する場合には、光学フィルム３０は屈折率の異なる複数の薄膜の積層体であり、これらの薄膜の界面で発生する反射光の干渉を利用して反射光を減衰する。また、例えば光学フィルム３０が防眩機能を有する場合には、光学フィルム３０の表面には塗料により凹凸面が形成されており、この凹凸面により外光を乱反射させる。なお、光学フィルム３０に代えて、表面膜としてハードコート等の表示面を物理的な刺激（外力）から保護する膜を形成してもよい。本実施の形態における表示装置１では、この光学フィルム３０側に画像が表示される。
【００２５】
［１−２．表示装置の機能］
上述したように、表示装置１は可撓性を有する電子ブック等に適用される。このため、表示装置１は、閲覧時には図３Ａに示したように平面上に使用することが勿論、移動時にはフレキシブルディスプレイとしての特徴を活かし、例えば図３Ｂに示したように折り曲げたり、丸めたりして携帯することができる。
【００２６】
前述したようにフレキシブルパネル（表示部材１０に相当）をフィルムで挟み込んだラミネート構造を有する表示装置では可撓性は最大限に活かされる。しかしながら、折り曲げ後の表示領域は、図４Ａに示したように、平坦性が損なわれ部分的に撓んだり凹凸が生じた状態となる。このため、閲覧時には外光反射等によるムラが顕著になり、視認性が著しく低下する虞がある。
【００２７】
これに対して、本実施の形態の表示装置１では、可撓性を有する表示部材１０の裏面に、形状記憶機能を有する支持部材２０が配設されている。表示装置１では、折り曲げ後の表示領域は上記ラミネート構造を有する表示装置と同様に、図４Ａに示したように平坦性が損なわれ部分的に撓んだり凹凸が生じた状態となる。但し、閲覧時に表示装置１に通電することにより、上述したように、例えば表示素子やＴＦＴ、ドライバＩＣ１４Ａ，１４Ｂ等の排熱を利用して支持部材２０が加熱される。これにより支持部材２０の形状回復と共に、支持部材２０に配設されている表示部材１０の形状が回復する。即ち、図４Ｂに示したように表示領域１０Ａに形成されていた撓みや凹凸が解消され、表示領域１０Ａの平坦性が回復する。よって、表示装置１の閲覧時における視認性が向上する。
【００２８】
以上のように、本実施の形態の表示装置１によれば、表示部材１０の裏面に形状記憶機能を有する支持部材２０を設けるようにした。これにより、閲覧時に通電することによって発熱する発光素子や、ＴＦＴ、ドライバＩＣ１４Ａ，１４Ｂ等の排熱を利用して、折り曲げ後に生じる表示領域１０Ａの撓みや凹凸を解消し、平坦化することができる。よって、表示装置１の可撓性を損なうことなく、閲覧時における表示領域１０Ａの視認性を向上させることが可能となる。
【００２９】
＜２．適用例１＞
上記実施の形態における表示装置１は、以下に説明する電子機器に適用することができる。図５Ａ，図５Ｂは、本開示の適用例１に係る電子機器（電子ブック２）の斜視構成を模式的に表したものである。図６は、この電子ブック２の片側の一部を分解して表したものである。
【００３０】
電子ブック２は、柔らかい素材をコンポーネント化して形成された薄型のフレキシブルディスプレイである。この電子ブック２では、複数枚の紙（頁）を綴じて作られる実際の本のように、装置全体を閉じたり（折り畳んだり）、あるいは開いたりすることができるようになっている。ユーザは実際に本を読んでいるかのような感覚で、電子ブック２に表示された内容（例えば書籍の頁等）を閲覧することが可能である。
【００３１】
電子ブック２は、支持基板４０上に、表示部材４５を含む積層体４１を備えたものであり、本における「背」の部分（背３Ａ）には、ヒンジ部４２を有している。この電子ブック２の下面（閉じたときに外側になる面）側にはカバー４３が設けられ、上面（閉じたときに内側になる面）側は、保護シート４４により覆われている。
【００３２】
支持基板４０は、電子ブック２の基材として積層体４１を支持すると共に、可撓性を有するものである。この支持基板４０は、上記実施の形態の表示装置１における支持部材２０を適用することができる。
【００３３】
積層体４１は、図６に示したように、例えば、支持基板４０の側から順に、システムボード層４７、回路部４８、検出部４６および表示部材４５を積層した構成を有する。これらは、いずれも柔らかい素材を用いて構成されており、積層させた状態において可撓性が得られるようになっている。なお、本実施の形態では、積層体４１が、電子ブック２を開いた状態での左右２面の両方に設けられた例を示すが、この積層体４１は、左右どちらか一方の面にのみ設けられていてもよい。
【００３４】
ヒンジ部４２は、支持基板４０の背３Ａに対応する部分に設けられ、例えば、支持基板４０（あるいは電子ブック２）の折り曲げ角度に拘わらず一定の曲率を維持可能な曲率規制ヒンジであることが望ましい。
【００３５】
カバー４３は、電子ブック２の外装部材であり、柔らかい樹脂フィルムにより構成されている。
【００３６】
保護シート４４は、表示部材４５を保護すると共に、電子ブック２の表示面を形成するものである。この保護シート４４は、支持基板４０にその全面を覆うように貼り合わせられており、柔らかく、かつ表示光に対して透明性を有する樹脂フィルムにより構成されている。
【００３７】
表示部材４５は、例えば、上記一実施の形態における表示部材１０により構成されている。
【００３８】
検出部４６は、ユーザによる曲げ、押動等による操作（主にＺ方向に沿ってなされる操作）を検出するものであり、具体的には、ベンディングセンサ４６Ｂにより構成されている。ベンディングセンサ４６Ｂとしては、例えば加速度センサ、力センサ、圧力センサ、歪みセンサ、あるいはジャイロセンサ等が挙げられる。
【００３９】
この検出部４６はまた、ベンディングセンサ４６Ｂの他にも、位置センサ４６Ａを有しており、ユーザによるタッチ入力（指、手、スタイラス等を用いた入力）を検出可能となっている。位置センサ４６Ａは、ユーザのタッチ位置をＸ方向およびＹ方向の２次元位置座標として検出するものである。位置センサ４６Ａとしては、例えば感圧センサ、２次元トラッキングセンサ、２次元タッチセンサ、メッシュ・センサまたは静電容量方式によるものが挙げられる。ただし、この位置センサ４６Ａは、例えば表示部材４５の上層に設けられていることが望ましい。これらの位置センサ４６Ａおよびベンディングセンサ４６Ｂを用いたＸ，Ｙ，Ｚの３軸方向のセンシングにより、ユーザによる曲げ操作の位置および曲げ具合等を検出可能となっている。但し、検出部４６の構成は、これらの位置センサ４６Ａおよびベンディングセンサ４６Ｂの組合せに限らず、任意の３軸センサを用いることができる。
【００４０】
システムボード層４７には、例えば電子部品が実装されたシステムボード、ハードディスクドライブ（Hard Disk Drive：ＨＤＤ）および冷却ファン等が配設されている。シス
テムボードには、例えばＣＰＵ、メインメモリ、チップセット及び各種ドライブ用の制御回路等の電子部品が実装されている。ハードディスクドライブは、システムボードのコネクタ端子に接続され、内部にハードディスクを有し、このハードディスクに対して情報の読み書きを行うものである。冷却ファンは、システムボードに実装されたＣＰＵや、その他の発熱素子を冷却するものである。
【００４１】
回路部４８は、表示部材４５および検出部４６をそれぞれ駆動するためのＴＦＴを含む回路部である。ＴＦＴとしては、例えば有機ＴＦＴが用いられる。
【００４２】
図７は、電子ブック２の機能構成を表したものである。電子ブック２は、信号取得部５１、判定部５２、表示切替部５３及び画像信号処理部５４を有している。信号取得部５１は、コンポーネント化された位置センサ４６Ａおよびベンディングセンサ４６Ｂに接続されている。
【００４３】
信号取得部５１は、位置センサ４６Ａにより検出された２次元の位置情報を示す信号を取得する。信号取得部５１はまた、ベンディングセンサ４６Ｂにより検出された曲げ情報（Ｚ方向）を示す信号を取得する。
【００４４】
判定部５２は、各センサの検出結果に基づいて電子ブック２が局所的な部分において曲げられているかどうかを判定する。
【００４５】
表示切替部５３は、各センサの検出結果に基づいて表示部材４５の表示内容を切り替える。具体的には、表示切替部５３は、判定部５２により電子ブック２の所定の領域が曲げられていると判定された場合、表示部材４５において、ページ送り（ページめくり）、スクロール等を表す画像が表示されるようにする。
【００４６】
画像信号処理部５４は、表示部材４５に表示する画像（画像信号）を生成する。例えば、電子ブック２は、ネットワークを介してダウンロードされたコンテンツの所望のページを表示部材４５に表示する。
【００４７】
なお、上記信号取得部５１、判定部５２、表示切替部５３及び画像信号処理部５４の各機能は、専用の制御デバイスあるいはプログラムを実行する図示しないプロセッサ（ＣＰＵ）により実現される。プロセッサにより実行される手順を示したプログラムやデータは、ＲＡＭ（Random Access Memory）、ＲＯＭ（Read Only Memory）、ＨＤＤ（Hard Disk Drive）などの記憶デバイスを含むハードウエア資源に記憶されている。
【００４８】
この電子ブック２では、支持基板４０、積層体４１、カバー４３および保護シート４４が柔らかい素材により構成され（可撓性を有し）、背３Ａにヒンジ部４２が設けられていることにより、ユーザは、実際の紙からなる本を扱うときと同じように、電子ブック２を開いたり、閉じたりすることができる。例えば、図５Ａに示した開いた状態において、表示部材４５に画像（例えば書籍の１ページを示す画像）が表示されると、ユーザは電子ブック２を両手または片手に持ちながら、あるいは台等の上に広げ（置き）ながら、そのページを読むことができる。
【００４９】
このように、表示部材４５にある内容を表示している状態で、ユーザが、電子ブック２の物理的形状変化を伴う所定の動作を行うと、そのような動作が検出部４６により検出され、表示切り替え部５３が表示内容を切り替える。具体的には、検出部４６により支持基板４０（電子ブック２）の局部的な撓み（曲げ（捩り、押動等も含む））が検出された場合、表示切り替え部５３が表示内容を切り替え、例えばページ送り動作やスクロール動作を表す内容を表示する。換言すると、ユーザによる入力操作（例えばページ送り動作あるいはスクロール動作）を感知して、それに応じた内容を表示する（他のページを表示する、あるいは他の行を表示する等）。
【００５０】
詳細には、信号取得部５１が、位置センサ４６ＡからＸＹ位置座標情報を取得すると共に、ベンディングセンサ４６Ｂから、Ｚ方向の変位を曲げ（撓み）情報として取得し、これらを判定部５２へ出力する。判定部５２は、取得したＸＹ位置座標情報に基づいてユーザ入力がなされているＸＹ平面内での位置（指等の接触位置）を特定すると共に、取得した曲げ情報に基づいて、電子ブック２がユーザによって曲げられているか否かを判定する。なお、この判定は、例えば予め保持された曲げ量の閾値との比較により行い、例えば取得された曲げ情報に応じた曲げ量が閾値を下回る場合には“曲げられていない”と判定し、閾値以上の場合には“曲げられている”と判定する。これにより、例えば図８Ａないし図８Ｃに示したようなユーザの入力操作を感知することができる。
【００５１】
即ち、図８Ａに示したように、電子ブック２の角部分等の端部領域を手前に曲げる動作Ａを感知可能である。また、図８Ｂに示したように、電子ブック２の端部を捩って奥側に曲げる動作Ｂ、あるいは図８Ｃに示したように、電子ブック１の端部を押しながら動かす（押動する）動作Ｃを感知することができる。これらのうち、例えば図８Ａ，図８Ｂに示したような動作は、ページを送る（めくる）際になされる一般的な動作である。一方、図８Ｃに示したような動作は、スクロールする際にユーザが一般的に行う動作の一つである。なお、スクロール動作については、ＸＹ平面内での移動を伴うため、曲げ状態の判定に際し、ＸＹ位置座標が移動しているか否かについても同時に判定するとよい。但し、これらの動作は一例であり、本のページを送ったり（めくったり）、あるいはスクロールする際にユーザが一般的に行う動作の代表例として挙げている。
【００５２】
そして、検出部４６が感知したユーザ入力操作が例えば図８Ａ，図８Ｂに示したようなページ送り動作である場合、表示切り替え部５３は、表示内容を、例えば、それまで表示していたページの前のページあるいは次のページを表す内容に切り替える。この際、表示部材４５には、現ページからその前後のページに瞬時に切り替わるような表示を行ってもよいし、あるいは、実際の本でのページめくりのように、めくられた箇所から次のページ内容が見えてくる様子を表示するような演出表示を行ってもよい。一方、検出部４６が感知したユーザ入力操作が例えば図８Ｃに示したようなスクロール動作である場合には、表示切り替え部５３は、表示内容を、例えば、それまで表示していたページ内の所定の行（または段落）よりも前の行あるいは次の行を表す内容に切り替える。
【００５３】
このように、ユーザは、電子ブック２を局部的に曲げるという動作によって、ページ送りやスクロールといった操作を行うことが可能になる。つまり、実空間での本と同じような操作を電子ブック２に対して行えばよいので、入力操作とこれに応じて生じる変更表示内容との関連性が高く、ユーザにとって直感的に結びつきやすい。
【００５４】
以上、一実施の形態を挙げて本開示を説明したが、本開示は上記実施の形態に限定されるものではなく、種々の変形が可能である。例えば、上記実施の形態において表示装置１および電子ブック２の構成を具体的に挙げて説明したが、全ての構成要素を備える必要はなく、また、他の構成要素を更に備えていてもよい。
【００５５】
また、上記適用例１では、支持基板４０の面形状が矩形状である場合を例示したが、支持基板４０の面形状はこれに限らず、他の形状、例えば正方形状や他の多角形状、円形状、楕円形状等様々な形状を取り得る。
【００５６】
更に、上記適用例１では、電子ブック２の背３Ａに対応する領域が、支持基板４０を２分するように延在形成されている場合を例示したが、電子ブック２の背３Ａはこれに限定されるものではない。例えば、電子ブック２の背３Ａが支持基板４０の右寄りまたは左寄りの領域に延在して形成されていてもよい。すなわち、折り畳み時において、支持基板の一方の側が他方の側から露出するような構成であってもよい。また、電子ブック２の背３Ａの数も１つに限らず複数であってもよい。
【００５７】
更にまた、図示はしないが、上述したような折り畳み型あるいはタブレット型の表示装置または電子機器に、他の機器、例えばキーボード等を接続可能に構成してもよい。
【００５８】
加えて、上記実施の形態等では、本開示の表示装置または電子機器の一例として、電子ブックを例に挙げたが、本開示の表示装置または電子機器は、他にも、各種モバイル機器（ノート型ＰＣ（Personal computer），携帯オーディオプレーヤ，携帯電話，ＰＤＡ（Personal Digital Assistant）等の電子機器に用いられてもよい。また、ブックリーダとしてだけでなく、音楽プレーヤ，動画プレーヤ，写真ビューア，地図アプリ，ウエブブラウザなどを閲覧可能な表示装置および電子機器全般に使用することができる。
【００５９】
なお、本技術は以下のような構成を取ることも可能である。
（１）可撓性を有する表示部材と、前記表示部材の裏面に配置された形状記憶機能を有する支持部材とを備えた表示装置。
（２）前記支持部材は前記表示部材の裏面全面に設けられている、前記（１）に記載の表示装置。
（３）前記支持部材は加熱時に平坦性を維持する形状を記憶している、前記（１）または（２）に記載の表示装置。
（４）前記支持部材はシート状の形状記憶合金により構成されている、前記（１）乃至（３）のいずれか１つに記載の表示装置。
（５）前記支持部材へ供給する熱源を有する、前記（１）乃至（４）のいずれか１つに記載の表示装置。
（６）前記熱源は表示部材を構成する表示素子である、前記（１）乃至（５）のいずれか１つに記載の表示装置。
（７）前記熱源は表示部材を構成する駆動用デバイスである、前記（１）乃至（５）のいずれか１つに記載の表示装置。
（８）前記支持部材の形状記憶機能は４０℃以下の加熱によって機能する、前記（１）乃至（７）のいずれか１つに記載の表示装置。
（９）表示装置を有し、前記表示装置は、可撓性を有する表示部材と、前記表示部材の裏面に配置された形状記憶機能を有する支持部材とを備えた電子機器。
【符号の説明】
【００６０】
１…表示装置、２…電子ブック、１０…表示部材、１０Ａ…表示領域、１０Ｂ…周辺部、１１…基板、１２…半導体層、１３…表示層、１４Ａ，１４Ｂ…ドライバＩＣ、１５…ＦＰＣ、２０…支持部材、３０…光学フィルム。
【図１】
2013210491.tif 000003
【図２】
2013210491.tif 000004
【図３Ａ】
2013210491.tif 000005
【図３Ｂ】
2013210491.tif 000006
【図４Ａ】
2013210491.tif 000007
【図４Ｂ】
2013210491.tif 000008
【図５Ａ】
2013210491.tif 000009
【図５Ｂ】
2013210491.tif 000010
【図６】
2013210491.tif 000011
【図７】
2013210491.tif 000012
【図８Ａ】
2013210491.tif 000013
【図８Ｂ】
2013210491.tif 000014
【図８Ｃ】
2013210491.tif 000015